(57)【特許請求の範囲】
【請求項１】
一方に開口部を有し内容物を収納する凹部と該凹部の周縁にフランジ部を備えた容器本体と、該容器本体の前記開口部と前記フランジ部を覆い前記フランジ部の外縁と略同じ大きさの蓋体とが、前記フランジ部の周縁部に設けられた第一熱接着部で熱接着された四角形状のブリスター容器において、一つの辺の前記第一熱接着部の内周縁と前記開口部の周縁との間に頂部を有し、該頂部より前記開口部側に向かい拡開し一つの辺に隣接して対向する他の二辺の第一熱接着部に接続する斜めシール部を備えた第二熱接着部が前記フランジ部に設けられ、該第二熱接着部で前記蓋体と前記容器本体が剥離可能に熱接着され、前記第二熱接着部の前記頂部と対向する一つの辺の前記第一熱接着部に未シール部を設けて、前記頂部を跨ぎ前記第二熱接着部若しくはその近傍から前記未シール部の外縁に達しそれぞれ前記蓋体を貫通する切れ目線が形成されて前記頂部をそれぞれの前記切れ目線及び前記未シール部の外縁で囲まれる開封用摘み部が設けられ、前記開封用摘み部のそれぞれの前記切れ目線の第二熱接着部側の端部又はその近傍から前記斜めシール部若しくはその外縁周辺の未シール部分に前記斜めシール部に沿って二方向に延伸しそれぞれが交わることなく終端する開封用切れ目線が前記蓋体に設けられ、前記開封用摘み部より前記開封用切れ目線に沿って開封することを特徴とする易開封性ブリスター容器。
【発明の詳細な説明】
【技術分野】
【０００１】
本発明は、蓋体を容器本体から剥離させて容易に開封できる易開封性ブリスター容器に関し、特に一つの辺側に設けた開封用摘み部より、開封用切れ目線に沿って開封する易開封性ブリスター容器に関する。
【背景技術】
【０００２】
従来より、ハム、ベーコン等の食品あるいは医薬品、化粧品等の種々の内容物を封入する包装容器として、熱成形され内容物を収納する凹部とフランジ部を有する容器本体と蓋体からなり、内容物を凹部に収納し、内容物とフランジ部を蓋体で被覆して周縁を熱接着させたブリスター容器が知られている。密封に際して、含気包装以外に内容物により、その保存性の向上を図るために、窒素ガス、炭酸ガスを封入するガス充填包装や脱酸素剤封入包装や真空包装などの包装技法が一般的に用いられている。
【０００３】
これらのブリスター容器は開封を容易とするために、概ね平面形状が矩形で、一つの角部に蓋体と容器本体との未接着部を形成して開封用摘み部を設けて、ここから蓋体を剥離する構成となっている。更に蓋体及び／又は容器本体の熱接着される面に易剥離性処理が施され、例えば、蓋体に易剥離性処理を施す場合には、容器本体と熱接着される蓋体の内層に易剥離性熱接着樹脂層を積層した構造を有し、開封用摘み部を一方の手指で摘み、他方の手指で容器本体を摘み、相反する方向に引張ると蓋体と容器本体が剥離し、容易に開封できるようになっている。
【０００４】
しかしながら、蓋体と容器本体は密着して容易に開封用摘み部を容器本体から分離して摘みにくいという問題がある。特に、これらのブリスター容器の製造は、容器本体と蓋体とを熱接着した後に矩形状に打抜いてトリミングされる方法が多く、熱接着の余熱が残存した状態でトリミングされるために蓋体と容器本体のトリミング部分が仮着を起こし、開封用摘み部の分離をより一層、困難にすることがある。
【０００５】
上記の問題を改善するため、例えば、ミルクポーションパックのようにタブ部が設けられ、タブ部の容器本体側に蓋体と容器本体との周縁シール部の外縁近傍に薄肉線を設けて折り曲げて切取り、タブ部を摘みやすい構成が用いられている。これらは、容器本体が小さい場合や、容器本体が折り曲げて切り取りやすい剛性のある構成には、有効であるが、スライスハムやベーコン等のブリスター容器のように大きくなると、手で容器が摘みにくいあるいは、容器本体の材質がフレキシブルな構成のものには、剛性がなく、このような切取り方式は不適当である。
【０００６】
また、未接着部の、容器本体又は蓋材の少なくとも一方に凸部を設けて開封性を向上させる包装容器が提案されている（例えば特許文献１参照）。しかしながら、トリミングのエッジにおいて蓋材と容器本体との密着防止には十分なものではなく、特に真空包装においては、未接着部も真空にされて、容器本体と蓋材間に大気圧に準ずる圧力が印加され、且つ接着部に近接するためにある程度の熱も加わり、一旦形成した凹凸部が押しつぶされて、所望の易開封性向上効果を十分に得られないという問題がある。
【特許文献１】特開２００２−３０２１５８号公報
【発明の開示】
【発明が解決しようとする課題】
【０００７】
そこで本発明は、上記問題を解決すべくなされたものであり、蓋体を容易に摘むことができ、蓋体を容器本体から剥離させることにより簡単に開封して内容物を取り出せることのできる易開封性ブリスター容器を提供することである。
【課題を解決するための手段】
【０００８】
本発明は、上記課題を達成するために、請求項１記載の本発明は、一方に開口部を有し内容物を収納する凹部と該凹部の周縁にフランジ部を備えた容器本体と、該容器本体の前記開口部と前記フランジ部を覆い前記フランジ部の外縁と略同じ大きさの蓋体とが、前記フランジ部の周縁部に設けられた第一熱接着部で熱接着された四角形状のブリスター容器において、一つの辺の前記第一熱接着部の内周縁と前記開口部の周縁との間に頂部を有し、該頂部より前記開口部側に向かい拡開し一つの辺に隣接して対向する他の二辺の第一熱接着部に接続する斜めシール部を備えた第二熱接着部が前記フランジ部に設けられ、該第二熱接着部で前記蓋体と前記容器本体が剥離可能に熱接着され、前記第二熱接着部の前記頂部と対向する一つの辺の前記第一熱接着部に未シール部を設けて、前記頂部を跨ぎ前記第二熱接着部若しくはその近傍から前記未シール部の外縁に達しそれぞれ前記蓋体を貫通する切れ目線が形成されて前記頂部をそれぞれの前記切れ目線及び前記未シール部の外縁で囲まれる開封用摘み部が設けられ、前記開封用摘み部のそれぞれの前記切れ目線の第二熱接着部側の端部又はその近傍から前記斜めシール部若しくはその外縁周辺の未シール部分に前記斜めシール部に沿って二方向に延伸しそれぞれが交わることなく終端する開封用切れ目線が前記蓋体に設けられ、前記開封用摘み部より前記開封用切れ目線に沿って開封することを特徴とする易開封性ブリスター容器である。
【発明の効果】
【０００９】
本発明のブリスター容器は、蓋体を貫通する切れ目線が形成されて開封用摘み部が設けられており、容器本体と密着することがなく、蓋体と容器本体が容易に分離でき、開封用摘み部を手指で摘むことができる。開封用切れ目線が第二熱接着部の斜めシール部若しくはその外縁周辺の未シール部分に斜めシール部に沿って蓋体に設けられ、第二熱接着部で蓋体と容器本体が剥離可能に熱接着されており、開封用摘み部より開封用切れ目線に沿って容易に、しかも容器を持ち替えることなく開封することができる。
【発明を実施するための最良の形態】
【００１０】
上記の本発明について、図面等を用いて以下に説明する。
図１は本発明にかかる易開封性ブリスター容器の第一実施形態を示す平面図、図２は図１のＸ−Ｘ線断面図、図３は図１の円内の切れ目線及び切れ目を示す拡大図、図４は易開封性ブリスター容器の開封途中の状態を示す斜視図であり、図中の符号１は易開封性ブリスター容器、２は蓋体、３は容器本体、４は開口部、５は凹部、６はフランジ部、７は第一熱接着部、８は第二熱接着部、８ａは頂部、８ｂは斜めシール部、８ａａは直線シール部、８ａｂは山型シール部、９は切れ目線、１０は開封用摘み部、１１は開封用切れ目線、１２は切れ目、１２ａは直線部、１２ｂは斜線部、１２ｈは切れ目の先端、１２ｔは切れ目の後端、１３、１６は基材層、１４、１７は中間層、１５、１８は熱接着性樹脂層、１９は引裂き片、１２１は一番目の切れ目、１２２は次（二番目）の切れ目、Ｌ１は一つの辺、Ｌ２は一つの辺と対向する辺、Ｍ１、Ｍ２は対向する他の二辺、Ｎは未シール部をそれぞれ示す。
【００１１】
本発明の易開封性ブリスター容器の第一実施形態は図１、図２に示すとおりである。一方に開口部４を有し内容物を収納する略円筒形の凹部５と凹部５の周縁にフランジ部６を備えた容器本体３と、容器本体３の開口部４とフランジ部６を覆いフランジ部６の外縁と略同じ大きさの蓋体２とが、フランジ部６の周縁部に設けられた第一熱接着部７で熱接着された四角形状の易開封性ブリスター容器１である。一つの辺Ｌ１の第一熱接着部７の内周縁と開口部４の周縁との間に頂部８ａを有し、該頂部８ａより開口部４側に向かい拡開し一つの辺Ｌ１に隣接して対向する他の二辺Ｍ１、Ｍ２の第一熱接着部７に接続する斜めシール部８ｂとで構成され、一つの辺Ｌ１の第一熱接着部７側に凸形状の第二熱接着部８がフランジ部６に設けられ、第二熱接着部８で蓋体２と容器本体３が剥離可能に熱接着されている。さらに第二熱接着部８の頂部８ａと対向する一つの辺Ｌ１の第一熱接着部７に未シール部Ｎが設けられ、頂部８ａを跨ぎ第二熱接着部８若しくはその近傍から未シール部Ｎの外縁に達しそれぞれ蓋体２を貫通する切れ目線９、９が形成されて頂部８ａをそれぞれの切れ目線９、９及び未シール部Ｎの外縁で囲まれる開封用摘み部１０が設けられている。切れ目線９には蓋体２を貫通しない歯止めを部分的に適宜、設けてもよい。さらに開封用摘み部１０のそれぞれの切れ目線９、９の第二熱接着部８側の端部から斜めシール部８ｂ若しくはその外縁周辺の未シール部分に斜めシール部８ｂに沿って開封用切れ目線１１、１１が蓋体２に設けられている。開封用切れ目線１１は、斜めシール部８ｂに設けてもよいが、開封性等から斜めシール部８ｂの外縁周辺の未シール部分に設けるほうが好ましい。容器本体３の凹部５の形状は、上記の形状に限定されるものでなく、角型、楕円型等の種々の形状にできる。
【００１２】
第二熱接着部８の頂部８ａは、一つの辺Ｌ１に平行な所定長さの直線シール部８ａａを有し、該直線シール部８ａａには、一つの辺Ｌ１側に突出した１ケないしは複数の山型シール部８ａｂが設けられている。このような構成にすることにより、開封用摘み部１０を摘み、蓋体２を容器本体３より開封する際に、開封初期に必要な引張り力を少なくすることができ、開封用摘み部１０を引張って容易に剥離することができ、スムーズに開封開始ができる効果を奏するものである。山型シール部８ａｂの突出した山の数は開封用摘み部１０の一つの辺Ｌ１と平行する側の長さにより１ケないし複数設けることができ、該長さが長くなれば複数の山の数を設けるのが好ましい。なお、山型シール部８ａｂを設けなくても開封できるが、設けたほうがスムーズな開封開始ができるので好ましい。また、頂部８ａに直線シール部８ａａを設けずに、例えば、山型、丸型、突起状等の形状でもよく、記載の形状に限定されるものではない。
【００１３】
次に、蓋体２と容器本体３とが熱接着された第一熱接着部７及び第二熱接着部８を剥離可能とする蓋体２及び容器本体３の積層構成について説明する。蓋体２の構成としては図２に示すように、収納される内容物に対して要求される化学的保護機能（ガスバリア性、透湿度等）や物理的保護機能（引張強度、衝撃強度等）により、基材層１３／印刷層（図示しない）／中間層１４／熱接着性樹脂層１５又は基材層１３／印刷層（図示しない）／熱接着性樹脂層１５を基本構成として適宜設計することができる。基材層１３にはナイロン、ポリエチレンテレフタレート、ポリプロピレン等の二軸延伸されたプラスチックフィルム並びにこれらのフィルムにポリビニルアルコール、塩化ビニリデン等のバリア材がコートされたフィルム及び酸化珪素、酸化アルミ等の無機物が蒸着されたフィルムが使用される。図示しないが、印刷層は、例えば基材層１３の中間層１４と対向した面にグラビア印刷され設けられる。中間層１４にはエチレンビニルアルコール等のバリアフィルム、アルミ箔、アルミ等の金属が蒸着されたフィルム及び上記基材層１３に使用されるフィルムが使用される。熱接着性樹脂層１５には、ポリエチレン、エチレン・酢酸ビニル共重合体、アイオノマー、ポリプロピレンないしは易剥離性熱接着性樹脂（ＥＰＲ）等をフィルム又はエクストルージョンラミネーションして使用される。なお、ＥＰＲの易剥離性を付与する方法として表面に接着力の弱い薄層を設けた多層構成とする方法や、相溶性の少ない樹脂をブレンドするなどの構成により易剥離性を発現させる方法などの公知のものが適宜採用される。上記の各層はドライラミネーション法やエクストルージョンラミネーション法等の公知の技法により積層され積層材が構成される。例えば、蓋体２の具体的積層構成例として、以下のような構成が挙げられる。
（１）ＯＰＰ／ＤＬ／ＰＥＴ／ＤＬ／ＰＥＦ又はＥＶＡ又はアイオノマー
（２）ＰＥＴ／ＤＬ／ＥＰＲ
（３）ＰＥＴ／ＤＬ／ＯＮ／ＤＬ／ＰＥＦ
（４）ＯＰＰ／ＤＬ／ＰＥＦ又はＣＰＰ
（５）ＯＮ／ＤＬ／ＰＥＦ
尚、前記構成例の記載に用いた略記号は次の通りである。ＯＰＰ：二軸延伸ポリプロピレンフィルム、ＰＥＴ：二軸延伸ポリエステルフィルム、ＰＥＦ：ポリエチレンフィルム、ＥＶＡ：エチレン・酢酸ビニル共重合体、ＣＰＰ：未延伸ポリプロピレンフィルム、ＤＬ：ドライラミネート接着剤を示す。
【００１４】
容器本体３の構成としては図２に示すように、収納される内容物に対して要求される化学的保護機能（ガスバリア性、透湿度等）や物理的保護機能（引張強度、衝撃強度等）及び成型性により、基材層１６／中間層１７／熱接着性樹脂層１８又は基材層１６／熱接着性樹脂層１８を基本構成として適宜設計することができる。基材層１６にはナイロン、ポリエチレンテレフタレート、ポリプロピレン、ポリアクリロニトリル、塩化ビニル等の未延伸のプラスチックフィルム並びにこれらのフィルムにポリビニルアルコール、塩化ビニリデン等のバリア材がコートされたフィルム等が使用される。中間層１７にはエチレンビニルアルコール共重合体、塩化ビニリデン等のバリアフィルム等のフィルムが使用される。熱接着性樹脂層１５には、ポリエチレン、エチレン・酢酸ビニル共重合体、アイオノマー、ポリプロピレンないしは易剥離性熱接着性樹脂（ＥＰＲ）等をフィルム又はエクストルージョンラミネーションして使用される。上記の各層はドライラミネーション法やエクストルージョンラミネーション法等の公知の技法により積層され容器本体３を構成する容器材となる。また、容器本体３は、基材層１６／中間層１７／熱接着性樹脂層１８、基材層１６／熱接着性樹脂層１８が共押出しフィルムでもよく、基材層１６単層でもよい。蓋体２及び容器本体３の熱接着性樹脂層１５、１８にはＥＰＲを用いる方が易開封性がより向上し、好ましい。また、この場合、ＥＰＲは蓋体２及び容器本体３の熱接着性樹脂層１５、１８の両層に使用してもよいし、いずれか一方でも良い。
【００１５】
図１、図３を用いて本発明の易開封性ブリスター容器の開封部分の構成について詳しく説明する。図３は図１の円内の拡大図であって、開封部分の構成を示す。蓋体２に設けられた開封用切れ目線１１は、間欠した切れ目１２からなり、該切れ目１２が、斜めシール部８ｂと平行方向の直線部１２ａと、該直線部１２ａの開封用摘み部方向に対して後端側より一つの辺Ｌ１に隣接して対向する他の二辺Ｍ１、Ｍ２に向かい直線部１２ａに対して鈍角で斜めに延びた斜線部１２ｂとからなり、一番目の切れ目１２１の先端１２ｈが開封用摘み部１０の切れ目線９の第二熱接着部８側の端部と連接して形成され、開封用摘み部１０より開封用切れ目線１１に沿って開封する構成となっている。開封用切れ目線１１の切れ目１２１の後端１２ｔと、二番目の切れ目１２２の直線部１２ａの先端１２ｈとが、開封方向に対して一致するか若しくは少なくとも重なって形成されていることが好ましい。そうすることにより、開封用摘み部１０を引張って蓋体２を開封すると、一番目の切れ目１２１の後端１２ｔから蓋体２が引裂かれて、二番目の切れ目１２２に連結し、二番目の切れ目１２２により、引裂き方向が、次の三番目の切れ目に案内され、順次、同様に繰り返され開封用切れ目線１１から外れて開封不能になることを防ぐことができ、開封用切れ目線１１に沿って開封できる。また、切れ目１２の形状は、直線や例えば、くの字やへの字等の屈曲線、Ｕ字等の曲線、若しくはこれらの組合せなどを用いることができるが、直線や屈曲線がシンプルで好ましい。尚、一番目の切れ目１２１、二番目の切れ目１２２の符号は説明上、付したものであり、切れ目１２と形状、機能とも同一のものである。
【００１６】
次に、蓋体２の製造方法について説明する。まず最初に基材層１３の中間層１４に対向する面にグラビア印刷方式で印刷絵柄を裏刷する。その後、中間層１４、熱接着性樹脂層１５を順次、ドライラミネーション法又はエクストルージョンラミネーション法で積層し、蓋材の巻取が製造される。次に抜き工程で得られた蓋材の巻取を巻き戻しながら、印刷見当に合せて所定位置に切れ目線９及び切れ目１２を基材層１３、中間層１４、熱接着性樹脂層１５まで貫通するように例えば、ロータリーダイカッターを用いて形成され、開封用摘み部１０及び開封用切れ目線１１が設けられ、蓋体２が製造される。なお、印刷絵柄は中間層１４の基材層１３に対向する面又は熱接着性樹脂層１５に対向する面に設けてもよい。
【００１７】
次に、本発明の易開封性ブリスター容器１の製造方法について説明する。上記で製造された蓋体２と、上記で説明した方法で作製された容器材をそれぞれ所定の幅に切断して巻取とした後に、成型インライン充填機械で製造される。まず、容器材が巻き戻され熱成型され凹部５とフランジ部６を有する容器本体３が製造される。その後、凹部５に内容物が収納された後、蓋体２が巻き戻され容器本体３と蓋体２とが所定位置になるように見当合せしながら容器本体３のフランジ部６、開口部４及び内容物を覆い第一熱接着部７、第二熱接着部８で蓋体２と容器本体３とを剥離可能に熱接着し、内容物が封入され、易開封性ブリスター容器１が製造される。成型方法は真空成型、圧空成型、真空圧空成型などの熱成型方法が使用できる。また、内容物に要求される保存性により、真空包装、窒素ガスや炭酸ガスあるいはその混合ガスなどを封入するガス充填包装、脱酸素剤封入包装、含気包装などの包装技法を併用することができる。なお、容器本体３は一旦、別工程で熱成型してトリミングしたものを使用してもよい。この場合には、容器本体３には、熱可塑性樹脂をインジェクション成型して用いることもできる。
【００１８】
次に、図４を用いて本発明の易開封性ブリスター容器１の開封方法について説明する。該易開封性ブリスター容器１の蓋体２に設けられた開封用摘み部１０を手指で摘み、上に引張りながら一つの辺Ｌ１と対向する辺Ｌ２の方向に開封すると切れ目線９に連接した一番目の切れ目１２１の後端１２ｔから開口部４の方向に蓋体２が引裂かれ二番目の切れ目１２２に達すると二番目の切れ目１２２に沿って開封方向が案内され、順次、同じことが繰返され、開封用切れ目線１１に沿って、蓋体２が引裂かれて引裂き片１９が形成されると共に、開口部４と内容物（図示しない）が現れる。開封用切れ目線１１が第一熱接着部７に達し、さらに引裂き片１９を引張ると第一熱接着部７に沿って、蓋体２と容器本体３との間で剥離して引裂き片１９が取除かれて開口部４が開口され、内容物を容易に取出すことが可能となる。このように、開封用摘み部１０を一つの辺Ｌ１の中央に予め蓋体２を貫通する切れ目線９、９と未シール部Ｎの外縁で囲まれるように設けることにより、従来の角部に設けた開封用摘み部が容器本体と密着して容易に開封用摘み部を容器本体から分離して摘みにくいという問題を解決し、開封用摘み部１０を容易に摘み開封することができるものである。
【００１９】
次に、本発明について、以下に実施例を挙げてさらに詳しく説明する。
【実施例】
【００２０】
［実施例１］
厚さ１２μｍの二軸延伸ポリエチレンテレフタレートフィルム（ＰＥＴ）の片面にグラビア印刷法によりポリウレタン系インキで所定の印刷を行い、印刷面に、ポリエステルポリオール−イソシアネート系接着剤を介して厚さ３０μｍの片面コロナ処理されたＥＰＲフィルム（東セロ化学株式会社製、ＣＭＰＳ０１３Ｃ）のコロナ処理面とをドライラミネーション法で積層し、４０℃、２日間養生して蓋体に使用する蓋材を作製した。
【００２１】
厚さ４０μの未延伸ナイロンフィルム（ＣＮ）と厚さ５０μｍの片面コロナ処理された未延伸ポリプロピレンフィルムのコロナ処理面とをポリエステルポリオール−イソシアネート系接着剤を介してドライラミネーション法で積層し、４０℃、２日間養生して容器本体に使用する容器材を作製した。
【００２２】
上記の容器材を用いて、真空深絞り成型し深さ１５ｍｍ×直径１００ｍｍの凹部を有する１７０ｍｍ×１３５ｍｍの角形の容器本体を作製した。上記の蓋材の所定位置に長さ（図１におけるＭ１からＭ２方向）４０ｍｍ×幅（図１におけるＬ１からＬ２方向）２０ｍｍの開封用摘み部を設けて、直線部５ｍｍ、斜線部２．５ｍｍ、直線部と斜線部で形成する角度１３５°の切り目を切り目の後端と次の切り目の先端が開封方向に対して一致する位置に形成し、開封用切れ目線を設けて蓋体を作製した。その後、容器本体の開口部とフランジ部を覆い、一つの辺の中央に開封用摘み部が位置するようにして、第一熱接着部、第二熱接着部で蓋体と容器本体とを剥離可能に熱接着して柔軟性のあるソフトタイプの易開封性ブリスター容器１を作製した。なお、第二熱接着部８の頂部８ａは約１５ｍｍの直線シール部８ａａとし、該部に一つの辺Ｌ１側に２．５ｍｍ突出した５ケの山型シール部とした。
【００２３】
［実施例２］
厚さ２５０μの片面コロナ処理された未延伸ポリプロピレンシートのコロナ処理面と片面コロナ処理されたＥＰＲフィルム（住友ベークライト株式会社製、ＣＥＬ４５４１）のコロナ処理面とをポリエステルポリオール−イソシアネート系接着剤を介してドライラミネーション法で積層し、４０℃、２日間養生して容器本体に使用する容器材を作製した。蓋材は実施例１と同じ蓋材を用いて、剛性のあるハードタイプの実施例１と同じ易開封性ブリスター容器１を作製した。
【００２４】
［比較例１］
実施例１と同じ容器本体と、実施例１と同じ蓋材を用いて、蓋材に開封用切れ目線及び開封用摘み部を形成する切れ目線を設けない蓋体とを用いて、フランジ部を剥離可能に熱接着した、実施例１と同様の大きさの柔軟性のあるソフトタイプの易開封性ブリスター容器を作成した。尚、一つの角部に蓋体と容器本体との未接着部を形成して開封用摘み部を設けた。
【００２５】
実施例１〜２の易開封性ブリスター容器は、開封用摘み部を辺の中央に設けているために、一方の手指で容器の一端を摘み、他方の手で開封用摘み部を容易に摘むことができ、開封用切れ目線に沿って、第二熱接着部及び第一熱接着部で容器本体と蓋体とが剥離され、容器を持ち替えることなく開封することができ、内容物を容易に取出せた。比較例１は、蓋体と容器本体は密着して容易に角部に設けた開封用摘み部を容器本体から分離して摘みにくく、しかも、開封摘み部が角部のために、蓋体を剥離し、内容物を取り出すまでに何度も容器を持ち替える必要があり、煩わしいものであった。このように、本願発明の易開封性ブリスター容器の開封用摘み部は、辺の中央に設けられているために、開封時に、一方の手指で容器の中央が摘めると共に、開封用摘み部は蓋体を貫通する切れ目線で形成されているために、容器本体と蓋体が密着することもなく他方の手で開封用摘み部を容易に摘むことができ、容器を持ち替えることなくスムーズに開封できるという効果を奏するものである。
【図面の簡単な説明】
【００２６】
【図１】本発明にかかる易開封性ブリスター容器の第一実施形態を示す平面図である。
【図２】図１のＸ−Ｘ線断面図である。
【図３】図１の円内の切れ目線及び切れ目を示す拡大図である。
【図４】易開封性ブリスター容器の開封途中の状態を示す斜視図である。
【符号の説明】
【００２７】
１                                      易開封性ブリスター容器
２                                      蓋体
３                                      容器本体
４                                      開口部
５                                      凹部
６                                      フランジ部
７                                      第一熱接着部
７ａ                                    突出シール部
８                                      第二熱接着部
８ａ                                    頂部
８ｂ                                    斜めシール部
８ａａ                                  直線シール部
８ａｂ                                  山型シール部
９                                      切れ目線
１０                                    開封用摘み部
１１                                    開封用切れ目線
１２                                    切れ目
１２ａ                                  直線部
１２ｂ                                  斜線部
１２ｈ                                  切れ目の先端
１２ｔ                                  切れ目の後端
１３、１６                              基材層
１４、１７                              中間層
１５、１８                              熱接着性樹脂層
１９                                    引裂き片
１２１                      一番目の切れ目
１２２                                  次の切れ目
Ｌ１                                    一つの辺
Ｌ２                                    一つの辺と対向する辺
Ｍ１、Ｍ２                              対向する他の二辺
Ｎ                                      未シール部
【図１】
0005082662.tif 000002
【図２】
0005082662.tif 000003
【図３】
0005082662.tif 000004
【図４】
0005082662.tif 000005